(57)【特許請求の範囲】
【請求項１】
画像光を投写する投写部と、
前記投写部に電源を供給する電源部と、
前記投写部を収納する第１の筐体と、
前記電源部を収容する第２の筐体と、を備え、
前記第２の筐体は、空間を第１の空間と第２の空間とに仕切る天井板を支持する支持部材に固定され、
前記第１の筐体は、前記第２の空間側に配置され、一部が、前記天井板に形成された天井開口を介して前記第１の空間側に露出した状態で前記天井板に固定され、
前記第１の筐体と前記第２の筐体とは、別体として構成される、ことを特徴とするプロジェクター。
【請求項２】
前記第２の筐体は、前記第２の空間に配置され、
前記第１の筐体の前記一部は、前記投写部の投写口を含み、
前記投写部は、前記投写口を前記天井開口から露出させ、前記第１の空間に画像光を投写する、ことを特徴とする請求項１記載のプロジェクター。
【請求項３】
前記第１の筐体は、前記投写口が前記天井開口から露出した状態において、前記第１の筐体を前記天井板に固定する固定部を備える、ことを特徴とする請求項２記載のプロジェクター。
【請求項４】
画像光を投写する投写部と、
前記投写部に電源を供給する電源部と、
前記投写部を収納する第１の筐体と、
前記電源部を収容する第２の筐体と、を備え、
前記第２の筐体は、空間を第１の空間と第２の空間とに仕切る仕切面を支持する支持部材に固定され、
前記第２の筐体は、前記支持部材を両側から挟持する一対の挟持部材により前記支持部材に固定され、
前記第１の筐体と前記第２の筐体とは、別体として構成される、ことを特徴とするプロジェクター。
【発明の詳細な説明】
【技術分野】
【０００１】
本発明は、プロジェクターに関する。
【背景技術】
【０００２】
従来、天井や床下に設置される表示装置が知られている（例えば、特許文献１参照）。特許文献１は、プロジェクターの本体部が収納された筐体を、天吊具としてのターンバックルにより本天井（建物躯体）から吊り下げ、筐体のフランジ部を天井板の開口部周縁にネジ等で固定した投射型映像表示装置を開示する。
【先行技術文献】
【特許文献】
【０００３】
【特許文献１】特開２００９−４８１５５号公報
【発明の概要】
【発明が解決しようとする課題】
【０００４】
プロジェクターを天井裏に設置する場合、プロジェクターの重量を考慮すると、特許文献１に開示のように、天吊具を用いて建物躯体から吊り下げる方法が考えられる。しかしながら、この方法は、取り付けの作業が煩雑になることから、他の設置方法が検討されていた。
本発明は、上記事情に鑑みてなされたものであり、天井裏等への設置が容易なプロジェクターを提供することを目的とする。
【課題を解決するための手段】
【０００５】
上記目的を達成するために、本発明のプロジェクターは、画像光を投写する投写部と、前記投写部に電源を供給する電源部と、前記投写部を収納する第１の筐体と、前記電源部を収容する第２の筐体と、を備え、前記第２の筐体は、空間を第１の空間と第２の空間とに仕切る仕切面を支持する支持部材に固定され、前記第１の筐体と前記第２の筐体とは、別体として構成されることを特徴とする。
本発明によれば、投写部を収納した第１の筐体と、電源部を収納した第２の筐体とが別体で構成され、第２の筐体が支持部材に固定される。従って、投写部を収納した第１の筐体を軽量化することができ、空間を仕切る天井等の仕切面に第１の筐体を容易に設置することが可能となる。
【０００６】
また、本発明は、上記プロジェクターにおいて、前記第１の筐体の少なくとも一部及び前記第２の筐体は、前記第２の空間に配置され、前記投写部は、前記第１の筐体に形成された投写口を、前記仕切面に設けられた開口から露出させ、前記第１の空間に画像光を投写することを特徴とする。
本発明によれば、第１の筐体の少なくとも一部と第２の筐体が第２の空間に配置され、画像光が投写される第１の空間からは、これらを視認できなくなるため、仕切面の外観を向上することができる。
【０００７】
また、本発明は、上記プロジェクターにおいて、前記第１の筐体は、前記投写口が前記開口から露出した状態において、前記第１の筐体を前記仕切面に固定する固定部を備えることを特徴とする。
本発明によれば、第１の筐体を固定部により仕切面に固定することができる。従って、軽量化された第１の筐体を、仕切面により確実に保持することが可能となる。
【０００８】
また、本発明は、上記プロジェクターにおいて、前記第２の筐体は、前記支持部材を両側から挟持する一対の挟持部材により前記支持部材に固定されることを特徴とする。
本発明によれば、簡易な構成で、第２の筐体を支持部材に固定することができる。
【０００９】
また、本発明は、上記プロジェクターにおいて、前記第１の筐体は、前記第２の筐体に固定されることを特徴とする。
本発明によれば、第１の筐体が第２の筐体に固定されることで、空間を仕切る天井等の仕切面にかかる負荷を軽減することができ、さらに容易に第１の筐体を仕切面に設けることが可能となる。
【００１０】
また、本発明は、上記プロジェクターにおいて、前記第１の筐体が固定される前記第２の筐体の位置を、前記仕切面に平行な方向に変更可能であることを特徴とする。
本発明によれば、第１の筐体が固定される第２の筐体の位置が、仕切面に平行な方向に変更することができる。従って、プロジェクターを設置する設置環境に応じて、第１の筐体の設置位置を変更することができる。
【００１１】
また、本発明は、上記プロジェクターにおいて、前記第２の筐体に固定される前記第１の筐体の位置を、前記仕切面に垂直な方向に変更可能であることを特徴とする。
本発明によれば、第２の筐体に固定される第１の筐体の位置を、仕切面に垂直な方向に変更可能することができる。従って、プロジェクターを設置する設置環境に応じて、第２の筐体に固定される第１の筐体の位置を変更することができる。
【図面の簡単な説明】
【００１２】
【図１】第１の実施形態のプロジェクターの設置状態を示す斜視図。
【図２】第１の筐体の設置状態を示す側面図。
【図３】図１のＸ−Ｘ線における第２の筐体の断面図。
【図４】第１の実施形態のプロジェクターの制御系の機能ブロック図。
【図５】第２の実施形態のプロジェクターの設置状態を示す斜視図。
【図６】図５のＱ−Ｑ線における第２の筐体の断面図。
【図７】第２の筐体を示す斜視図。
【図８】第１の筐体を示す斜視図。
【図９】第２の実施形態のプロジェクターの設置状態を示す上面図。
【図１０】第１の筐体を第２の筐体に固定した状態を示す図。
【発明を実施するための形態】
【００１３】
［第１実施形態］
図１は、第１の実施形態のプロジェクター１Ａの設置状態を示す斜視図である。
本実施形態のプロジェクター１Ａは、吊り天井構造を有する天井の天井裏（第２の空間）に設置される。
吊り天井構造は、建物の建物躯体（図示略）に、吊りボルト（図示略）を介して複数の野縁３及び複数の野縁受け５と、天井板７とが吊り下げ支持された構造である。天井板７が本発明の仕切面に相当する。
野縁３及び野縁受け５は、細長い棒状の部材であり、本発明の支持部材に相当する。複数の野縁３は、水平の一定方向に所定の間隔をあけて並設され、天井板７を裏側から支持する。複数の野縁受け５は、野縁３に直交する水平な他方向に所定の間隔をあけて並設され、複数の野縁３を支持する。複数の野縁受け５は、下端を複数の野縁３に接続し、上端を上階の建物躯体に固着された複数の吊りボルトにより吊り下げ支持される。また、天井板７は、複数の野縁３の下面にビス留め等により固定される。なお、野縁３及び野縁受け５は、平面視で格子状に配列されるが、図１では、その一部の区画のみを図示している。
【００１４】
プロジェクター１Ａは、第１の筐体１００Ａと、第２の筐体２００Ａとを備え、第１の筐体１００Ａと、第２の筐体２００Ａとは電源ケーブル５０により接続される。
第１の筐体１００Ａは、円筒形状を有し、第１の筐体１００Ａの内部には、画像をスクリーン等の投写対象に投写する投写部１１０（図４参照）等が収納される。第２の筐体２００Ａは、細長い直方体形状を有し、第２の筐体２００Ａの内部には、投写部１１０に電源を供給する電源部２１０（図４参照）が収納される。電源部２１０は、電源ケーブル５０を介して第１の筐体１００Ａに収納された投写部１１０等に電源を供給する。
【００１５】
本実施形態は、投写部１１０を収納した第１の筐体１００Ａと、電源部２１０を収納した第２の筐体２００Ａとを別体で構成し、第２の筐体２００Ａを支持部材としての野縁受け５に固定した。
従って、第１の筐体１００Ａの重量を軽量化することができるので、重量制限のある天井板７等にも第１の筐体１００Ａを設置することができる。このため、天吊具を用いて建物躯体から吊り下げる等の方法を取らなくても、プロジェクター１Ａを天井裏に設置することができ、プロジェクター１Ａの天井裏等への設置が容易になる。
【００１６】
図２は、第１の筐体１００Ａの設置状態を示す側面図である。
第１の筐体１００Ａは、天井板７に穿設された天井開口８に嵌め込むように設置される。第１の筐体１００Ａの一部は、第２の空間である天井裏に配置される。
天井板７は、例えば、木、金属、軽量コンクリート等の板あるいは石膏ボード等の建材である。天井板７には、第１の筐体１００Ａの一部を挿入可能な天井開口８が形成される。
第１の筐体１００Ａの外装には、一対の取り付けバネ２５が設けられている。一対の取り付けバネ２５は、例えば、円柱形状の第１の筐体１００Ａを挟んで対向するように形成される。取り付けバネ２５は、本発明の固定部に相当する。なお、固定部は、第１の筐体１００Ａを天井板７に固定するものであれば、取り付けバネ２５に限定されず、例えば、ネジであってもよい。
【００１７】
第１の筐体１００Ａは、天井開口８に、室内空間（第１の空間）側である天井面７１側から差し込まれる。
天井開口８に第１の筐体１００Ａが差し込まれた状態で、取り付けバネ２５は天井開口８を外側に押圧するよう作用し、取り付けバネ２５と天井板７とが嵌合する。取り付けバネ２５の弾性により、第１の筐体１００Ａは、天井開口８から落下しないよう保持及び固定される。
第１の筐体１００Ａが天井板７に設置された設置状態において、天井板７の天井面７１側に露出する第１の筐体１００Ａの部分を突出部１０２といい、天井板７の上部空間である天井裏に納まる部分を本体部１０１という。
突出部１０２には、投写部１１０が出射する光を通すための投写口１０３が形成される。投写部１１０は、投写口１０３を介して室内空間側に画像光を投写する。
【００１８】
図３は、図１のＸ−Ｘ線における第２の筐体の断面図である。
第２の筐体２００Ａは、野縁受け５の上に載置され、固定具４０により野縁受け５に固定される。第２の筐体２００Ａは、当該第２の筐体２００Ａの長手方向が、天井板７と平行で、且つ野縁受け５の長手方向に平行となるように配置される。固定具４０は、左右ネジ４１と、一対のプレート４２とを備える。一対のプレート４２は、本発明の挟持部材に相当する。
左右ネジ４１は、当該左右ネジ４１の中央を境にして左側と右側とで逆向きにネジが切られている。一対のプレート４２には、それぞれネジが切られた貫通孔が設けられている。
左右ネジ４１を、ネジが切られた一対のプレート４２の貫通孔に挿通させ、挿通された左右ネジ４１の端部をナット（図示略）により締め付けることにより、一対のプレート４２が野縁受け５を挟持し、第２の筐体２００Ａは、野縁受け５に密着した状態で保持及び固定される。
【００１９】
図４は、第１実施形態のプロジェクター１Ａの制御系の機能ブロック図である。
図４には、リモコン９を合わせて図示する。リモコン９は、プロジェクター１Ａの一部を構成する。また、リモコン９はプロジェクター１Ａとは別の装置と考えることもでき、この場合、プロジェクター１Ａとリモコン９によりプロジェクションシステムを構成する。
【００２０】
プロジェクター１Ａは、別体として構成された第１の筐体１００Ａと第２の筐体２００Ａとに分離して収納される。第２の筐体２００Ａに収納された電源部２１０は、外部の商用交流電源に接続され、所定の直流電圧を生成して、第１の筐体１００Ａに収容された各部に電源を供給する。
【００２１】
次に、第１の筐体１００Ａに収納されたプロジェクター１Ａの構成について説明する。
投写部１１０は、光源１１１、光源１１１が発する光を変調して画像光を生成する光変調装置１１２、及び光変調装置１１２が変調した画像光を投写する投写光学系１１３を備える。
光源１１１は、ハロゲンランプ、キセノンランプ、超高圧水銀ランプ等のランプ、又は発光ダイオード、レーザー光源等の固体光源で構成される。光源１１１は、単一の光源が発する光を赤（Ｒ）、緑（Ｇ）、青（Ｂ）の各色光に分離する分離光学系を備えてもよい。光源１１１は、後述する光源駆動部１２１から供給される電力により点灯し、光変調装置１１２に向けて光を発する。
【００２２】
光変調装置１１２は、光源１１１が発する光を変調して画像光を生成し、画像光を投写光学系１１３に照射する。光変調装置１１２には、透過型の液晶パネルや、反射型の液晶ライトバルブ、デジタルミラーデバイス（ＤＭＤ）等の光変調素子により構成することができる。光変調装置１１２の光変調素子には、光変調装置駆動部１２２が接続される。光変調装置駆動部１２２は、画像処理部１３２が出力する画像信号に基づき、光変調素子を駆動して各画素の階調を設定し、光変調素子にフレーム（画面）単位で画像を描画する。
【００２３】
投写光学系１１３は、レンズやミラー等を備え、光変調装置１１２で変調された画像光を発散又は収束させて、投写する。投写光学系１１３により、プロジェクター１Ａは、壁面、床面、又はスクリーン上に画像を結像させることができる。投写光学系１１３は、単一のレンズやミラーに限らず、複数のレンズで構成されるレンズ群であってもよい。また、投写光学系１１３は、ズームレンズ、フォーカスレンズ等を含んでもよい。
【００２４】
投写光学系１１３は、画像光の投写方向を変更する投写方向変更部１１５を備えてもよい。投写方向変更部１１５は、投写光学系１１３により投写される画像光を受ける位置に配置された光路変更素子（例えば、ミラー）を備える。光路変更素子は、プロジェクター１Ａに着脱可能な構成である。
投写光学系１１３により投写される画像光をスクリーンや、壁面に投写する場合、投写光学系１１３により投写される画像光を光路変更素子で反射させ、画像光の進行方向を変更して、スクリーンや壁面に投写する。
投写光学系１１３及び後述する入力部１６５は、例えば、天井板７の天井面７１側に露出する第１の筐体１００Ａの部分である突出部１０２に収納される。また、突出部１０２には、投写光学系１１３の投写方向変更部１１５と、入力部１６５とを収納した構成であってもよいし、投写方向変更部１１５だけを収納した構成であってもよい。
【００２５】
また、プロジェクター１Ａは、画像データを出力する画像供給装置２を接続するインターフェイス（以下、Ｉ／Ｆと表記する）部１３１を備える。画像供給装置２は、例えば、パーソナルコンピューター等の情報処理装置、ＤＶＤプレーヤー等の画像再生装置、デジタルテレビチューナー等の放送受信装置、ビデオゲーム機やパーソナルコンピューター等の画像出力装置が挙げられる。画像供給装置２は、パーソナルコンピューター等と通信して画像データを受信する通信装置等であってもよい。
図４には、画像供給装置２をプロジェクター１Ａと共に示すが、例えば、画像供給装置２は、第１の空間である室内空間に設置され、プロジェクター１Ａは、第２の空間である天井裏に設置される。
【００２６】
Ｉ／Ｆ部１３１は、無線ＬＡＮ（ＷｉＦｉ（登録商標））や、Ｍｉｒａｃａｓｔ（登録商標）、Ｂｌｕｅｔｏｏｔｈ（登録商標）等の無線通信の規格に準じた無線データ通信を、画像供給装置２との間で実行する構成とすることができる。また、Ｉ／Ｆ部１３１は、画像供給装置２に有線接続される構成であってもよく、この場合、Ｉ／Ｆ部１３１はコネクター及びインターフェイス回路を備える。また、Ｉ／Ｆ部１３１は、ＳＤ（Secure Digital）メモリーカード等のカード型記録媒体や、ＵＳＢメモリーデバイス等、可搬型の記憶媒体を接続可能なコネクター及びインターフェイス回路を備えてもよい。
【００２７】
プロジェクター１Ａは、プロジェクター１Ａの各部を制御する制御部１５０を備える。制御部１５０は、プロジェクター１Ａの各部を制御することにより、Ｉ／Ｆ部１３１に入力される画像データに基づく画像を投写部１１０によって表示（投写）する。
【００２８】
Ｉ／Ｆ部１３１には、画像データを処理して表示用の画像信号を投写部１１０に出力する画像処理部１３２が接続される。画像処理部１３２は、画像供給装置２からＩ／Ｆ部１３１に入力される画像データを取得し、取得した画像データに対する画像処理を実行する。また、画像処理部１３２は、Ｉ／Ｆ部１３１に可搬型の記憶媒体が接続された場合に、この記憶媒体から画像データを読み出して取得し、画像供給装置２から入力される画像データと同様に処理してもよい。
【００２９】
制御部１５０は、例えば、図示しないＣＰＵ、ＲＯＭ、及びＲＡＭを備え、ＲＯＭ或いは後述する記憶部１５５が記憶するプログラムをＣＰＵが実行することにより、プロジェクター１Ａの各部を制御する。
制御部１５０には、記憶部１５５、画像処理部１３２、光源駆動部１２１、光変調装置駆動部１２２及び入力部１６５が接続される。制御部１５０は、これらの各部を制御する機能ブロックとして、投写制御部１５１を有する。投写制御部１５１は、制御部１５０のＣＰＵがプログラムを実行することにより、ソフトウェアとハードウェアの協働により実現される機能ブロックである。
【００３０】
記憶部１５５は、フラッシュメモリー等の不揮発性記憶装置により構成され、制御部１５０により処理されるデータや、制御部１５０のＣＰＵが実行するプログラムを記憶する。また、記憶部１５５は、プロジェクター１Ａが投写する画像データを記憶してもよい。
【００３１】
画像処理部１３２は、Ｉ／Ｆ部１３１に接続され、Ｉ／Ｆ部１３１に入力される画像データを取得する。画像処理部１３２は、制御部１５０の制御に従って、取得した画像データに対して各種処理を行う。例えば、画像処理部１３２は、画像データの解像度を光変調装置１１２の表示解像度に合わせて変換する解像度変換処理を実行する。また、画像処理部１３２は、画像データの形状を補正する幾何補正処理、画像データの色調を補正する色調補正処理等を実行する。画像処理部１３２は、処理後の画像データを表示するための画像信号を生成し、光変調装置駆動部１２２に出力する。
また、画像処理部１３２は、記憶部１５５が画像データを記憶する場合、記憶部１５５が記憶する画像データに対して上記画像処理を行ってもよい。この場合、制御部１５０が記憶部１５５から画像データを読み出して画像処理部１３２に出力する。画像処理部１３２は画像データに対する処理を行って、画像信号を光変調装置駆動部１２２に出力する。
【００３２】
光源駆動部１２１は、光源１１１に対して駆動電流やパルスを供給し、光源１１１を発光させる。また、光源駆動部１２１は光源１１１の発光の輝度を調整可能であってもよい。
光変調装置駆動部１２２は、制御部１５０の制御に従って、画像処理部１３２から入力される画像信号に基づき、光変調装置１１２を駆動して、光変調装置１１２にフレーム単位で画像を描画する。
【００３３】
投写制御部１５１は、投写部１１０を制御して画像を投写させる。
また、投写制御部１５１は、画像処理部１３２が実行する処理の実行タイミング、実行条件等を制御する。さらに、投写制御部１５１は、光源駆動部１２１を制御して、光源１１１の輝度の調整等を行う。また、投写制御部１５１は、光変調装置駆動部１２２が光変調装置１１２に画像を描画する処理を制御する。
【００３４】
また、制御部１５０は、入力部１６５に接続される。入力部１６５は、リモコン受光部として機能し、リモコン９が送信する赤外線信号を受信して、リモコン９における操作を示す操作信号を制御部１５０に出力する。制御部１５０は、入力部１６５から入力される操作信号に基づき、画像を投写する指示を検出した場合に、Ｉ／Ｆ部１３１に入力される画像データや記憶部１５５が記憶する画像データに基づいて投写を実行する。また、制御部１５０は、入力部１６５から入力される操作信号に基づき、投写終了の指示を検出した場合に、投写を終了する。
【００３５】
以上説明したように、本発明を適用した第１実施形態のプロジェクター１Ａは、投写部１１０を収納する第１の筐体１００Ａと、電源部２１０を収容する第２の筐体２００Ａと、を備える。第２の筐体２００Ａは、空間を天井裏と居室空間とに仕切る天井板７を支持する支持部材としての野縁受け５に固定される。投写部１１０を収納する第１の筐体１００Ａと、電源部２１０を収容する第２の筐体２００Ａとは、別体として構成される。
従って、投写部１１０を収納した第１の筐体１００Ａを軽量化することができ、天井板７等の空間を仕切る仕切面に第１の筐体１００Ａを容易に設置することができる。
【００３６】
また、投写部１１０は、第１の筐体１００Ａに形成された投写口１０３を、天井板７に設けられた天井開口８から露出させ、天井板７により仕切られた居室空間に画像光を投写する。従って、天井板７に設けられた天井開口８から第１の筐体１００Ａの投写口１０３を露出させ、居室空間に画像光を投写することができる。
【００３７】
また、第２の筐体２００Ａは、野縁受け５を両側から挟持する一対のプレート４２により野縁受け５に固定される。従って、簡易な構成で、第２の筐体２００Ａを野縁受け５に固定することができる。
【００３８】
また、第１の筐体１００Ａは、投写口１０３が天井開口８から露出した状態において、天井板７を押圧して第１の筐体１００Ａを天井板７に固定する取り付けバネ２５を備える。従って、簡易な構成で、第１の筐体１００Ａを天井板７に固定することができる。
【００３９】
［第２実施形態］
図５は、第２実施形態のプロジェクター１Ｂの設置状態を示す斜視図である。
本実施形態において、上述した第１実施形態で説明したプロジェクター１Ａと共通の構成については、同一の符号を付しその説明を省略する。
【００４０】
第１実施形態と同様、第２実施形態の第１の筐体１００Ｂは、円筒形状を有し、第２の筐体２００Ｂは、細長い直方体形状を有している。また、第２の筐体２００Ｂには電源部２１０が収納されており、電源部２１０は、電源ケーブル５０を介して第１の筐体１００Ｂに収納された投写部１１０等に電源を供給する。
【００４１】
第２実施形態の第２の筐体２００Ｂは、隣接する２つの野縁受け５をまたいで設置されている。すなわち、第２の筐体２００Ｂは、その長手方向が天井板７に平行ではあるが、野縁受け５に平行な方向ではなく、野縁３に平行な方向に配置される。また、第２の筐体２００Ｂは、またがった野縁受け５のそれぞれに固定される。第２の筐体２００Ｂが固定される野縁受け５を、野縁受け５Ａ、５Ｂと表記する。図５に示すように、野縁受け５Ａが紙面に向かって左側に位置し、野縁受け５Ｂが紙面に向かって右側に位置する。
さらに、第２実施形態では、第１の筐体１００Ｂは、第２の筐体２００Ｂに固定される。第２の筐体２００Ｂに固定された状態で、第１の筐体１００Ｂは、その長手方向が天井板７に垂直になるような姿勢となる。
【００４２】
図６は、図５のＱ−Ｑ線における第２の筐体２００Ｂの断面図である。
第２の筐体２００Ｂは、固定具６０によって野縁受け５Ａ及び５Ｂに固定される。固定具６０は、ネジ軸６１、第１プレート５３、第２プレート５４、軸受け６６、６７を備える。
ネジ軸６１は、中央部にネジ軸６１を回転させるための操作部６５が形成され、操作部６５を境にして左側と右側とで逆向きにネジが切られている。ネジ軸６１の左側に形成されたネジ部分を左ネジ部６２といい、ネジ軸６１の右側に形成されたネジ部分を右ネジ部６３という。
ネジ軸６１の両端部は、第２の筐体２００Ｂに固定された軸受け６６、６７によってそれぞれ支持されている。
【００４３】
第１及び第２プレート５３、５４には、貫通孔が形成され、貫通孔の表面にはネジが形成されている。第１プレート５３は、ネジ軸６１の左ネジ部６２に螺合し、第２プレート５４は、ネジ軸６１の右ネジ部６３に螺合する。
第１及び第２プレート５３、５４には、外側に突出するように台座部５１、５２が固定されており、第２の筐体２００Ｂは、台座部５１、５２が野縁受け５Ａ、５Ｂの上に載置されるように設置される。
第１プレート５３は、隣接する野縁受け５Ａと野縁受け５Ｂの間に配置され、野縁受け５Ａと野縁受け５Ｂとの対向面のうち、野縁受け５Ａの対向面に接するように配置される。
第２プレート５４は、隣接する野縁受け５Ａと野縁受け５Ｂの間に配置され、野縁受け５Ａと野縁受け５Ｂとの対向面のうち、野縁受け５Ｂの対向面に接するように配置される。
操作部６５を操作してネジ軸６１を所定方向に回転させると、ネジ軸６１の左ネジ部６２に螺合した第１プレート５３が、野縁受け５Ａを外側（野縁受け５Ｂの方向とは反対側）に押圧するとともに、ネジ軸６１の右ネジ部６３に螺合した第２プレート５４が野縁受け５Ｂを外側（野縁受け５Ａの方向とは反対側）に押圧する。
第１プレート５３及び第２プレート５４がそれぞれ外側に押圧されることで、第２の筐体２００Ｂが野縁受け５Ａ、５Ｂに保持及び固定される。
【００４４】
次に、第１の筐体１００Ｂの第２の筐体２００Ｂへの固定方法について説明する。
第１の筐体１００Ｂは、第２の筐体２００Ｂに固定される。第１の筐体１００Ｂを固定する第２の筐体２００Ｂの位置を変更することができる。第２の筐体２００Ｂは、第１の筐体１００Ｂを、第２の筐体２００Ｂの長手方向の異なる位置で固定することができる。
また、第２の筐体２００Ｂに固定される第１の筐体１００Ｂの位置を変更することができる。第１の筐体１００Ｂは、第２の筐体２００Ｂに固定される位置を、第１の筐体１００Ｂの長手方向で変更することができる。
【００４５】
図７は、第２の筐体２００Ｂを示す斜視図である。
第２の筐体２００Ｂには、２つのボルト保持部２０１、２０２が形成されている。これらのボルト保持部２０１、２０２には、後述するボルト８１が挿通される孔がそれぞれに形成されている。ボルト保持部２０１、２０２の少なくとも一方は、孔の表面にネジが切られており、雌ねじを構成する。
また、ボルト保持部２０１、２０２は、第２の筐体２００Ｂに着脱自在に取り付けられ、取り付け位置を、第２の筐体２００Ｂの長手方向で変更することができる。この構成により、第２の筐体２００Ｂは、第１の筐体１００Ｂを、第２の筐体２００Ｂの長手方向の異なる位置で固定することができる。
なお、ボルト保持部２０１、２０２を着脱自在な構成とする代わりに、第２の筐体２００Ｂの長手方向に沿ってボルト保持部２０１、２０２をスライドさせる構成としてもよい。また、図７には、２つのボルト保持部２０１、２０２を示したが、ボルト保持部２０１、２０２の数は２つに限定されない。
【００４６】
図８は、第１の筐体１００Ｂを示す斜視図である。
第１の筐体１００Ｂの側面には、長手方向に沿って溝８４が形成されており、溝８４の両端には、ボルト保持部８２、８３が形成されている。ボルト保持部８２、８３の間には、第２の筐体２００Ｂのボルト保持部２０１、２０２（図８では図示略）に挿通された状態のボルト８１が配置される。
ボルト保持部８２、８３は、ボルト８１を回転可能に保持する。プロジェクター１Ｂを天井に設置した状態において、ボルト８１は、その軸方向が天井板７に垂直になるように保持される。ボルト保持部８２、８３の少なくとも一方は、ボルト８１を回転操作させる操作機構（図示略）と、回転操作が完了した後のボルト８１の回転を規制するロック機構（図示略）とを有している。
【００４７】
図９は、第２実施形態のプロジェクター１Ｂの設置状態を示す上面図である。
また、図１０は、第１の筐体１００Ｂを第２の筐体２００Ｂに固定した状態を示す図である。
まず、第２の筐体２００Ｂの長手方向におけるボルト保持部２０１、２０２の取り付け位置を調整する。すなわち、第２の筐体２００Ｂが野縁受け５Ａ、５Ｂに固定された状態において、天井板７に穿設された天井開口８に、第１の筐体１００Ｂの突出部１０２が露出するように、ボルト保持部２０１、２０２の取り付け位置を調整する。
【００４８】
次に、ボルト８１の雄ネジと、第２の筐体２００Ｂのボルト保持部２０１、２０２に形成された雌ネジとが螺合した状態で、ボルト８１を回転させると、第１の筐体１００Ｂが第２の筐体２００Ｂに対してボルト８１の軸方向に沿って移動する。つまり、ボルト８１を回転させることで、第２の筐体２００Ｂに固定される第１の筐体１００Ｂの位置を、第１の筐体１００Ｂの長手方向で変更することができる。これにより、例えば、野縁受け５Ａ、５Ｂの高さが異なる場合であっても、第１の筐体１００Ｂの突出部１０２を、天井開口８から露出させ、投写口から画像光を射出することができる。
【００４９】
以上説明したように、本発明を適用した第２実施形態のプロジェクター１Ｂによれば、上述した第１実施形態のプロジェクター１Ａが有する効果に加えて、以下の効果を得られる。
第２実施形態のプロジェクター１Ｂは、第１の筐体１００Ｂが、第２の筐体２００Ｂに固定される。また、第１の筐体１００Ｂが固定される第２の筐体２００Ｂの位置を、第２の筐体２００Ｂの長手方向（天井板７に平行な方向）で変更可能である。従って、プロジェクター１Ｂの設置環境に応じて、第１の筐体１００Ｂの設置位置を変更することができる。
【００５０】
また、第２の筐体２００Ｂに固定される第１の筐体１００Ｂの位置を、第１の筐体１００Ｂの長手方向（天井板７に垂直な方向）で変更可能である。従って、プロジェクター１Ｂの設置環境に応じて、第２の筐体２００Ｂに固定される第１の筐体１００Ｂの位置を変更することができる。
【００５１】
なお、上述した各実施形態は、あくまでも本発明の一態様を示すものであり、本発明の範囲内で任意に変形及び応用が可能である。
例えば、プロジェクター１Ａ、１Ｂの細部構成は任意であり、第１の筐体１００Ａ、１００Ｂ、及び第２の筐体２００Ａ、２００Ｂに収納するプロジェクター１Ａ、１Ｂの構成を変更することもできる。
例えば、図４に示す投写部１１０以外の構成を、第２の筐体２００Ａ、２００Ｂに収納するように構成してもよい。また、投写部１１０、光源駆動部１２１、光変調装置駆動部１２２、Ｉ／Ｆ部１３１、画像処理部１３２、入力部１６５等を第１の筐体１００Ａ、１００Ｂに収納し、電源部２１０、制御部１５０、記憶部１５５を第２の筐体２００Ａ、２００Ｂに収納してもよい。
また、例えば、リモコン９が送信する無線信号を受信するアンテナや受光部を、第２の筐体２００Ａ、２００Ｂに配置してもよい。
【００５２】
また、上記実施形態では、第１の筐体１００Ａ、１００Ｂの一部（突出部１０２）が天井板７から室内空間側に突出した構成について説明したが、第１の筐体１００Ａ、１００Ｂの全体が天井裏に配置される構成とすることも可能である。また、上記実施形態では、第２の筐体２００Ａ、２００Ｂを野縁受け５に固定しているが、野縁３に固定するようにしてもよい。
【００５３】
また、上記実施形態では、プロジェクター１Ａ、１Ｂを天井裏に設置する例を示したが、プロジェクター１Ａ、１Ｂは、壁面や床面に埋設設置することもでき、家具や什器に埋設設置してもよい。また、屋外に設置することも可能である。
【００５４】
また、上記各実施形態において、リモコン９は、プロジェクター１Ａ、１Ｂに対して使用される専用の装置に限定されない。リモコン９は、赤外線信号、又はＷｉＦｉやＢｌｕｅｔｏｏｔｈによる無線信号によって、プロジェクター１Ａ、１Ｂに対して操作信号を送信できればよい。また、プロジェクター１Ａ、１Ｂにおいて、入力部１６５は、リモコン９が送信する信号を受信できればよく、信号のフォーマットや物理的要件は任意に変更できる。従って、例えばリモコン９として、スマートフォンやタブレット型コンピューターを用いる構成としてもよい。スマートフォンやタブレット型コンピューターに、プロジェクター１Ａ、１Ｂを操作するためのアプリケーションプログラムをインストールすることで、リモコン９として機能する構成とすることができる。この構成によれば、汎用的なスマートフォンやタブレット型コンピューターをリモコン９として利用できる。また、リモコン９として機能するスマートフォンやタブレット型コンピューターが、画像供給装置２としても機能する構成も勿論実現可能である。
【００５５】
また、図４に示した各機能ブロックはハードウェアとソフトウェアとの協働により実現される機能的構成を示すものであって、具体的な実装形態は特に制限されない。従って、必ずしも各機能ブロックに対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１Ａ、１Ｂの他の各部の具体的な細部構成についても、本発明の趣旨を逸脱しない範囲で任意に変更可能である。
【符号の説明】
【００５６】
１Ａ、１Ｂ…プロジェクター、２…画像供給装置、３…野縁（支持部材）、５…野縁受け（支持部材）、７…天井板、８…天井開口、９…リモコン、２５…取り付けバネ（固定部）、４０…固定具、４１…左右ネジ、４２…プレート（挟持部材）、５０…電源ケーブル、５１、５２…台座部材、５３…第１プレート、５４…第２プレート、６０…固定具、６１…ネジ軸、６２…左ネジ部、６３…右ネジ部、６５…操作部、６６、６７…軸受け、７１…天井面、８１…ボルト、８２、８３…ボルト保持部、８４…溝、１００Ａ、１００Ｂ…第１の筐体、１０２…突出部、１０３…投写口、１１０…投写部、１１１…光源、１１２…光変調装置、１１３…投写光学系、１１５…投写方向変更部、１２１…光源駆動部、１２２…光変調装置駆動部、１３１…Ｉ／Ｆ部、１３２…画像処理部、１５０…制御部、１５１…投写制御部、１５５…記憶部、１６５…入力部、２００Ａ、２００Ｂ…第２の筐体、２０１、２０２…ボルト保持部、２１０…電源部。
【図１】
0006701873.tif 000002
【図２】
0006701873.tif 000003
【図３】
0006701873.tif 000004
【図４】
0006701873.tif 000005
【図５】
0006701873.tif 000006
【図６】
0006701873.tif 000007
【図７】
0006701873.tif 000008
【図８】
0006701873.tif 000009
【図９】
0006701873.tif 000010
【図１０】
0006701873.tif 000011